(57)【要約】【課題】  ユニットバスが床スラブに設置された後であっても、アジャスターボルトに後付けすることができるとともに、振動吸収性の良い耐震部材を提供することにある。【解決手段】  床スラブ２１上からの浴槽の床パンの高さを自在に調整するアジャスターボルト２０と床スラブ２１に取り付ける耐震部材であって、内周縁が半円弧状を呈して相対向する一対の枠体２ａ、２ｂを備え、この各枠体２ａ、２ｂの一端部同士が一体に形成されて内周縁でアジャスターボルト２０に挟着する円空間を形成するとともに、他端部同士が拡開可能な中空挟着部２と、各枠体２ａ、２ｂの他端部から延出されるとともに、相対向する面同士が拡開可能に当接されてなる一対の延出片３ａ、３ｂからなり、この延出片３ａ、３ｂの相対向する面同士が当接した状態で床スラブ２１に固定される取付部３と、中空挟着部２の内周縁に配される緩衝部材５と、を備えている。【選択図】  図１
2005180104.tif 000002
【特許請求の範囲】
【請求項１】
床スラブ上からの浴槽の床パンの高さを自在に調整するアジャスターボルトと前記床スラブとに取り付ける耐震部材であって、
内周縁が半円弧状を呈して相対向する一対の枠体を備え、当該各枠体の一端部同士が一体に形成されて前記内周縁で前記アジャスターボルトに挟着する円空間を形成するとともに、他端部同士が拡開可能な中空挟着部と、
前記各枠体の他端部から延出されるとともに、相対向する面同士が当接されてなる一対の延出片からなり、当該延出片の相対向する面同士が当接した状態で床スラブに固定される取付部と、
前記中空挟着部の内周縁に、前記他端部の拡開を妨げないように配される緩衝部材と、
を備えてなることを特徴とする耐震部材。
【請求項２】
床スラブ上からの浴槽の床パンの高さを自在に調整するアジャスターボルトと前記床スラブとに取り付ける耐震部材であって、
内周縁が半円弧状を呈して相対向する一対の枠体を備え、当該各枠体の一端部同士が軸着されて前記内周縁で前記アジャスターボルトに挟着する円空間を形成するとともに、他端部同士が拡開可能な中空挟着部と、
前記各枠体の他端部から延出されるとともに、相対向する面同士が当接されてなる一対の延出片からなり、当該延出片の相対向する面同士が当接した状態で床スラブに固定される取付部と、
前記中空挟着部の内周縁に、前記他端部の拡開を妨げないように配される緩衝部材と、
を備えてなることを特徴とする耐震部材。
【請求項３】
前記緩衝部材は、前記中空挟着部の内周円に着脱可能に配されるものであることを特徴とする請求項１もしくは請求項２のいずれかに記載の耐震部材。
【発明の詳細な説明】
【技術分野】
【０００１】
本発明は、ユニットバスの耐震部材に関するものであり、詳しくはユニットバスを支えるアジャスターボルト及び床スラブに取りつける耐震部材に関するものである。
【背景技術】
【０００２】
従来、バスユニットを支える耐震部材として、図３に示すような断面階段状であって金属製の板状部材からなる耐震金具本体１１に、アジャスターボルト２０を挿通させるためのアジャスターボルト用挿通孔１２及び床スラブ２１に耐震金具本体１１を固定するための固定部材１３を挿通させるための固定部材用挿通孔１４を備えてなるものが知られている。このような耐震金具１０を床スラブ２１に取りつけるには、その構造上、予めアジャスターボルト２０をアジャスターボルト用挿通孔１２に挿通させ、その後に固定部材２２にて床スラブ２１に固定しなければならず、一度ユニットバスを床スラブ２１上に設置してしまった後で耐震金具１０を取り付けること、すなわち、後付けすることが困難であり、また、この耐震金具１０は鋼材等の金属材料からなり、アンカーボルト２０や固定部材１３も通常は金属材料からなるものであるため、振動が生じた場合に振動を吸収することができないという問題を有している。
【０００３】
また、別の従来例として、図４に示すような、床スラブ２１上にアジャスタボルト２０を介して浴槽の床パン１５が高さ調節自在に支持され、上記アジャスタボルト２０と床スラブ２１との間には防振ゴム４が介挿されているものが知られている。この防振ゴム４は、床パン１５からの振動を吸収する振動吸収部１６と、床スラブ２１に接着材１７により接着される接着部１８と、接着部１８から振動吸収部１６への接着材１７の流入を堰止める堰止め部１９とを備えている（特許文献１）。
【０００４】
このものにあっては、接着部１８を備えることによりにより、防振ゴム４を床スラブ２１に確実に固着でき、振動吸収部１６により、防振ゴム４の防振機能を発揮して振動吸収性を向上させることができるものの、上記の従来例と同様に、一端ユニットバスを設置してしまった後には、後付けが困難であり、また、接着剤の塗布工程や硬化のための時間を要するという問題を有している。
【特許文献１】実開平５−８５９４４号公報
【発明の開示】
【発明が解決しようとする課題】
【０００５】
本発明は、このような点に鑑みてなされたものであり、その目的とするところは、ユニットバスが床スラブに設置された後であっても、アジャスターボルトに後付けすることができるとともに、振動吸収性の良い耐震部材を提供することである。
【課題を解決するための手段】
【０００６】
上記した課題を解決するために、本発明の請求項１に係る耐震部材は、床スラブ上からの浴槽の床パンの高さを自在に調整するアジャスターボルトと前記床スラブとに取り付ける耐震部材であって、内周縁が半円弧状を呈して相対向する一対の枠体を備え、当該各枠体の一端部同士が一体に形成されて前記内周縁で前記アジャスターボルトに挟着する円空間を形成するとともに、他端部同士が拡開可能な中空挟着部と、前記各枠体の他端部から延出されるとともに、相対向する面同士が当接されてなる一対の延出片からなり、当該延出片の相対向する面同士が当接した状態で床スラブに固定される取付部と、前記中空挟着部の内周縁に、前記他端部の拡開を妨げないように配される緩衝部材と、を備えてなることを特徴とする。
【０００７】
本発明の請求項２に係る耐震部材は、床スラブ上からの浴槽の床パンの高さを自在に調整するアジャスターボルトと前記床スラブとに取り付ける耐震部材であって、内周縁が半円弧状を呈して相対向する一対の枠体を備え、当該各枠体の一端部同士が軸着されて前記内周縁で前記アジャスターボルトに挟着する円空間を形成するとともに、他端部同士が拡開可能な中空挟着部と、前記各枠体の他端部から延出されるとともに、相対向する面同士が当接されてなる一対の延出片からなり、当該延出片の相対向する面同士が当接した状態で床スラブに固定される取付部と、前記中空挟着部の内周縁に、前記他端部の拡開を妨げないように配される緩衝部材と、
を備えてなることを特徴とする。
【０００８】
本発明の請求項３に係る耐震部材は、前記緩衝部材が、前記中空挟着部の内周円に着脱可能に配されるものであることを特徴とする。
【発明の効果】
【０００９】
本発明の請求項１に係る耐震部材によると、アジャスターボルトに挟着する中空挟着部は内周縁が半円弧状を呈して相対向する一対の枠体を備え、この各枠体の一端部同士が一体に形成されて前記内周縁で前記アジャスターボルトに挟着する円空間を形成し、他端部同士は拡開可能に形成されているので、この各枠体の他端から延出される取付部を介して枠体の他端部を拡開すれば、拡開されたスペースを通ってアジャスターボルトを中空挟着部に設置・挟着させることができるので、ユニットバスが床スラブに設置された後であっても、耐震部材をアジャスターボルトに後付けで設置することができる。また、中空挟着部がアジャスターボルトに取り付けられた後は、枠体の復元力により延出片の相対向するする面同士が当接する状態に復帰するので取付部が容易に形成され、取付部を床スラブに取り付ける際の施工性が向上する。さらに、空挟着部の挟着面には緩衝部材が配されるので、耐震部材の振動吸収性が向上する。
【００１０】
本発明の請求項２に係る耐震部材によると、アジャスターボルトに挟着する中空挟着部は内周縁が半円弧状を呈して相対向する一対の枠体を備え、この各枠体の一端部同士が軸着されて前記内周縁で前記アジャスターボルトに挟着する円空間を形成し、他端部同士は拡開可能に形成されているので、この各枠体の他端から延出される取付部を介して枠体の他端部を拡開すれば、拡開されたスペースを通ってアジャスターボルトを中空挟着部に設置・挟着させることができるので、ユニットバスが床スラブに設置された後であっても、耐震部材をアジャスターボルトに後付けで設置することができる。また、枠体の一端部同士が軸着されているため、枠体の他端部が拡開する際の、アジャスターボルトが通るスペースを十分に確保することができ、中空挟着部２をアジャスターボルト２固定する際の施工性が向上する。さらに、空挟着部の挟着面には緩衝部材が配されるので、耐震部材の振動吸収性が向上する。
【００１１】
本発明の請求項３に係る耐震部材によると、上述した請求項１もしくは２の効果に加えて、緩衝部材が中空挟着部の内周円に着脱可能に配されるので、所望の防振性能に応じて緩衝部材を交換することが可能となり、また、アジャスターボルトの若干の外径寸法の変更に対しても、容易に対応することができる。
【発明を実施するための最良の形態】
【００１２】
（実施形態１）
本発明を図に示す実施形態に基づいて詳細に説明する。本発明の実施形態１におけるの概略図を図１に示す。図１において、１は耐震部材本体、２は中空挟着部、２ａ、２ｂは枠体、３は取付部、３ａ、３ｂは延出片、５は緩衝部材、１３は固定部材、２０はアジャスターボルト、２１は床スラブ、２２はボルト頭部、Ｌは分割ラインである。
【００１３】
図１（ａ）は、本発明に係る耐震部材の概略を示す上面図、図１（ｂ）は側面からみた断面図である。同図に示すように、耐震部材は、中空挟着部２及び取付部３からなる耐震部材本体１と緩衝部材５とから構成される。
【００１４】
この耐震部材本体１は、高強度で可撓性のある樹脂成形品からなり、互いに対向する一対の半円弧状の枠体２ａ、２ｂの一端部が一体に形成されてなる中空挟着部２と、各枠体２ａ、２ｂのそれぞれの他端部から延出される延出片３ａ、３ｂからなる取付部３とから構成される。この中空挟着部２と取付部３は一体に成形されている。内周縁が半円弧状を呈する各枠体２ａ、２ｂの一端部同士が一体に形成されることで、この内周縁でアジャスターボルト２０に挟着する円空間が形成される。
【００１５】
各枠体２ａ、２ｂの他端部同士は、中空挟着部２がアジャスターボルト２０に挟着されない状態では、中空挟着部２における円形の中空部の中心線（以下「分割ラインＬ」とする）上で当接している。各枠体２ａ、２ｂの他端部に対して分割ラインＬに対して垂直な方向（図１（ａ）における矢印の方向）に引張力をかければ、各枠体２ａ、２ｂは可撓性を有するので、永久歪みの残らない一定の間隔まで拡開することができる。この一定の間隔とは、枠体２ａ、２ｂの他端部が拡開したスペースを通ってアジャスターボルト２０が中空挟着部２に装着されることができる間隔を意味し、耐震部材本体１の弾性係数や形状寸法を所定の数値に調整することで達成することができる。この枠体２ａ、２ｂが拡開した場合には、各他端部が当接する方向に復元力が働き、引張力を開放すれば各枠体２ａ、２ｂの他端部は再び当接する状態に復帰する。
【００１６】
また、耐震部材は床スラブ２１とアジャスターボルト２０の床スラブ２１からの根元部とに設置され、この根元部では、アジャスターボルト２０はボルト頭部２２が床スラブ２１に固定されている。このボルト頭部をも挟着可能にするため、中空挟着部２の内周縁はボルト頭部２２を挟着する径大部とアジャスターボルト２０のそれ以外の部分を挟着する径小部を備えた２段構造になっている。
【００１７】
延出片３ａ、３ｂは、中空挟着部２がアジャスターボルト２０に挟着されない状態では、互いに対向する面同士が、分割ラインＬ上で当接している。延出片３ａ、３ｂに対して分割ラインＬに対して垂直な方向（図１（ａ）における矢印の方向）に引張力をかければ、枠体２ａ、２ｂは可撓性を有するので、上述の一定の間隔まで拡開することができる。すなわち、延出片３ａ、３ｂに対して、各延出片３ａ、３ｂが分離する方向に外力を加えることにより、各枠体２ａ、２ｂの他端部を容易に拡開させることができる。そのため、この拡開されたスペースを通ってアジャスターボルト２０を中空挟着部２に設置して挟着させることができる。その後外力を開放すれば、上述したように、枠体２ａ、２ｂの各他端部が当接する方向に復元力が働き、各他端部及び延出片３ａ、３ｂの互いに対向する面が再び当接する。この延出片３ａ、３ｂの互いに対向する面が再び当接することで取付部３が形成され、この取付部３を固定部材１３にて床スラブ２１に固定する。このような構成にすることで、ユニットバスが床スラブ２１に設置された後であっても、耐震部材をアジャスターボルト２０に後付けで設置することができる上に、中空挟着部２がアジャスターボルト２０に取り付け後は、枠体２ａ、２ｂの復元力により延出片３ａ、３ｂの相対向するする面同士が当接する状態に復帰するので取付部３が容易に形成され、取付部３を床スラブ２１に取り付ける際の施工性が向上する。また、後述する緩衝部材５の設置や交換が容易になる。
【００１８】
中空挟着部２の内周縁、すなわち、中空挟着部２がアジャスターボルト２０に挟着する際の挟着面には、リング状の防振ゴムからなる緩衝部材５が接着剤により全面に接合されている。このリング状の緩衝部材５は、帯状の防振ゴムを、その端面同士を当接させて（接着はされていない）リング状に成形したものであり、端面同士が分割ラインＬ上で当接するよう配されている。すなわち、枠体２ａ、２ｂが拡開する際に、弾性体５が拡開を妨げることがないように中空挟着部２の内周縁に配されている。このような緩衝部材５を設けることにより、耐震部材の振動吸収性が向上する。
【００１９】
この弾性部材５についても、中空挟着部２の内周縁の径大部とボルト頭部２２との間に介在する径大部と、中空挟着部２の内周縁の径小部とアジャスターボルト２０のボルト頭部２２以外の部分との間に介在する径小部とからなる２段構造になっている。このようにすることで、アジャスターボルト２０と中空挟着部２の内周縁との間に介在させる緩衝部材５の厚みを略一定にすることができるため、安定した防振性能を発揮することができる。また、２段構造としているため、挟着部の略全面に緩衝部材５を設置することができて防振性能が向上するとともに、中空挟着部２からの抜けを防止することができる。
【００２０】
また、中空挟着部２からの抜けを防止するため、リング状の緩衝部材５の内径は、アジャスターボルト２０の挟着される部分である床スラブ２１の根元部の外径よりもやや小さくし、取付部５が床スラブ２１に固定された状態（拡開した状態が解消され、延出片３ａ、３ｂの対向面同士が接合した状態）では、中空挟着部２は緩衝部材５を介してアジャスターボルト２０に挟着され、緩衝部材５は微小量圧縮された状態となっている。
【００２１】
なお、本実施形態における耐震部材本体１は樹脂成形品であったが、これに限定されるものではなく、所定の強度と可撓性を有するもの、例えば繊維を含有して更に強度を高めたＦＲＰや金属材料からなるものも好適に用いることができる。
【００２２】
（実施形態２）
本発明の実施形態２におけるの概略図を図２に示す。本実施形態に係る発明は、当該各枠体の一端部同士が軸着されていることに特徴を有し、実施形態１で記載した構成と共通する部分については説明を省略する。
【００２３】
図２において、１は耐震部材本体、２は中空挟着部、２ａ、２ｂは枠体、３は取付部、３ａ、３ｂは延出片、５は緩衝部材、１３は固定部材、２０はアジャスターボルト、２１は床スラブ、２２はボルト頭部、２４はシャフト、２５は挿通孔、Ｌは分割ラインである。
【００２４】
図２（ａ）は、本発明に係る耐震部材の概略を示す上面図、図２（ｂ）は側面からみた断面図である。同図に示すように、耐震部材は、中空挟着部２及び取付部３からなる耐震部材本体１と緩衝部材５とから構成される。
【００２５】
この耐震部材本体１は、金属製部材からなり、互いに対向する一対の半円弧状の枠体２ａ、２ｂの一端部同士が軸着される中空挟着部２と、各枠体２ａ、２ｂのそれぞれの他端部から延出される延出片３ａ、３ｂからなる取付部３とから構成される。この各枠体２ａ、２ｂの各一端部にはシャフト２４を挿通させるために、厚さ方向に貫通孔が設けられており、その厚み方向の形状は、一方の一端部が凹型に形成され、他方の一端部が凸型に形成されている。この一端部同士が嵌合されると、各貫通孔の位置が一致して、厚み方向に貫通する挿通孔２５が形成されるようになっている。形成された挿通孔２５にシャフト２４が挿通されて、枠体２ａ、２ｂの内周縁でアジャスターボルト２０に挟着する円空間が形成されるとともに、各他端部が拡開可能となる。また、中空挟着部２の内周縁は、実施形態１の場合と同様に、ボルト頭部２２を挟着する径大部とアジャスターボルトのそれ以外に部分を挟着する径小部を備えた２段構造になっている。
【００２６】
延出片３ａ、３ｂは、枠体２ａ、２ｂの他端部同が当接している状態では、互いに対向する面同士が、分割ラインＬ上で当接している。延出片３ａ、３ｂに対して分割ラインＬに対して垂直な方向（図１（ａ）における矢印の方向）に引張力をかければ、枠体２ａ、２ｂも拡開し、アジャスターボルト２０がこの拡開したスペースを通って中空挟着部２に設置される。このような構造にすることにより、ユニットバスが床スラブ２１に設置された後であっても、耐震部材をアジャスターボルト２０に後付けで設置することができる上に、枠体２ａ、２ｂの他端部が拡開する際の、アジャスターボルト２０が通るスペースを十分に確保することができ、中空挟着部２をアジャスターボルト２０に固定する際の施工性が向上する。また、実施形態１の場合と同様に、緩衝部材５の設置や交換が容易になる。
【００２７】
中空挟着部２の内周縁、すなわち、各枠体２ａ、２ｂがアジャスターボルト２０に挟着する際の挟着面には、半円リング状の防振ゴムからなる緩衝部材５が接着剤により全面に接合されている。すなわち、枠体２ａ、２ｂが拡開する際には弾性体５が拡開を妨げることがなく、各枠体２ａ、２ｂの他端部が当接した状態では、半円リング状の緩衝部材５の端部同士も分割ラインＬ上で当接して、中空挟着部の内周縁全面を被覆するようになっている。
【００２８】
なお、本実施形態における耐震部材本体１は金属部材であったが、これに限定されるものではなく、高強度の樹脂やセラミックスからなるものも好適に用いることができる。
【００２９】
また、実施形態１及び２においては、緩衝部材５がゴム状弾性体からなるものであったが、これに限定されるものではなく、粘弾性樹脂や防振合金等、防振効果を発揮する公知の材料が緩衝部材５として好適に用いることができる。また、緩衝部材５はリング状（緩衝部材５の挟着面の全面に配されるもの）に限定されるものではなく、中空挟着部２の内周面に等間隔に設置されるものであってもよい。
【００３０】
さらに、実施形態１及び２においては緩衝部材５は中空挟着部２の挟着面に接着剤により接合される構成であったが、これに限定されるものではなく、この挟着面に着脱自在な構成にしてもよい。具体的には、この挟着面に緩衝部材設置用の凹部を、緩衝部材５には挟着面に設置するための凸部をそれぞれ設けておき、この緩衝部材５の凸部を挟着面の凹部に嵌合させるようにしてもよい。このような構成にすることで、所望の防振性能に応じて緩衝部材を交換することが可能となり、また、アジャスターボルト２０の若干の外径寸法の変更に対しても、緩衝部材５の厚みを変えることにより、容易にこのような変更に対応することができる。
【図面の簡単な説明】
【００３１】
【図１】本発明の実施形態１に係る耐震部材の概略を示す上面（（ａ）図及び側面からみた断面図（（ｂ）図である。
【図２】本発明の実施形態２に係る耐震部材の概略を示す上面（（ａ）図及び側面からみた断面図（（ｂ）図である。
【図３】従来例を示す概略図である。
【図４】別の従来例を示す概略図である。
【符号の説明】
【００３２】
２    中空挟着部
２ａ、２ｂ  枠体
３    取付部
３ａ、３ｂ  延出片
５    緩衝部材
２０  アジャスターボルト
２１  床スラブ
【図１】
2005180104.tif 000003
【図２】
2005180104.tif 000004
【図３】
2005180104.tif 000005
【図４】
2005180104.tif 000006